(57)【要約】      （修正有）【課題】小型化が可能な現像剤補給容器を収容する補給容器収容装置及び画像形成装置を提供する。【解決手段】トナーボトル収容装置１００は、トナーを補給するためのトナーボトルを着脱自在に収容する収容空間と、トナーボトルを駆動させるための駆動力を供給する駆動ユニットと、駆動ユニットに連結され駆動ユニットからの駆動力を収容空間に収容されているトナーボトルへ伝達すると共に、トナーボトルが収容空間から取り出されることに応答して駆動ユニットとの連結を断つように収容空間側へ移動する可動カップリング１０７、駆動出力軸１１１、出力ギア１０８及び押圧部材１１３と、を有する。【選択図】図２
2018072364.tif 000002
【特許請求の範囲】
【請求項１】
現像剤を補給するための現像剤補給容器を着脱自在に収容する収容空間と、
前記現像剤補給容器を駆動させるための駆動力を供給する駆動手段と、
前記駆動手段に連結されて前記駆動手段からの駆動力を前記収容空間に収容されている前記現像剤補給容器へ伝達すると共に、前記現像剤補給容器が前記収容空間から取り出されることに応答して前記駆動手段との連結を断つように前記収容空間側へ移動する連結手段と、
を有することを特徴とする補給容器収容装置。
【請求項２】
前記連結手段を前記収容空間側へ移動する方向へ付勢する付勢手段を有し、
前記連結手段は、
前記収容空間に収容された前記現像剤補給容器に押圧されて前記駆動手段に連結する位置へ移動し、前記現像剤補給容器が前記収容空間から取り出された際に前記付勢手段に付勢されて前記収容空間側へ移動する、
ことを特徴とする請求項１に記載の補給容器収容装置。
【請求項３】
前記連結手段は、
前記駆動手段と連結する部分を覆う被覆部を有する、
ことを特徴とする請求項１または請求項２に記載の補給容器収容装置。
【請求項４】
前記連結手段は、
前記駆動手段に固定される固定カップリングと連結する移動可能な可動カップリングを備え、
前記可動カップリングは、
前記付勢手段に付勢された際に前記固定カップリングと離間して前記収容空間側へ移動する、
ことを特徴とする請求項２又は請求項３に記載の補給容器収容装置。
【請求項５】
請求項１乃至請求項４のいずれか１項に記載の補給容器収容装置と、
前記補給容器収容装置に収容された現像剤補給容器より供給される現像剤を用いて記録材に画像を形成する画像形成手段と、
を有することを特徴とする画像形成装置。
【発明の詳細な説明】
【技術分野】
【０００１】
本発明は、現像剤の補給容器を収容する補給容器収容装置に関する。
【背景技術】
【０００２】
従来、シートに画像を形成する記録装置としては、電子写真式の複写機、プリンタ又はファクシミリ等の画像形成装置が知られている。
【０００３】
かかる画像形成装置は、画像データに基づいて変調された光を感光ドラムに照射して静電潜像を感光ドラムに形成し、その静電潜像を現像器によって現像してトナー画像とする。その後、画像形成装置は、転写器によってトナー画像をシートに転写し、定着器によってトナー画像をシートに定着する。
【０００４】
また、画像形成装置には、現像剤補給容器であるトナーボトルから排出されるトナーを現像器に供給するためのトナー搬送路が設けられている。トナーボトルは、トナーを現像器に供給して空になった場合に、トナーが充填された新たなトナーボトルと交換されるため、画像形成装置内のボトル収容部に対して着脱できるようになっている。
【０００５】
トナーボトル内のトナーは、駆動源からトナーボトルに付与された駆動力でトナーボトル内に設けられた攪拌翼を回転させることにより、トナーボトルに形成されたトナー排出口からトナー搬送路に供給される。または、トナーボトル内のトナーは、駆動源からトナーボトルに付与された駆動力でトナーボトル自体を回転させることにより、トナーボトルの内壁に形成された螺旋状の凸部によって搬送されてトナー排出口からトナー搬送路に供給される。
【０００６】
画像形成装置は、トナーボトルを駆動するための駆動源を備えており、駆動源とトナーボトルとをギア又はカップリングを介して接続することにより、駆動源からトナーボトルに駆動力を付与してトナーボトルを駆動させる。
【０００７】
また、画像形成装置では、安全面を考慮して、トナーボトル着脱口を覆うカバー部材が閉じられている状態をトナーボトルの駆動を開始させるための条件としていることが通例である。
【０００８】
更に、画像形成装置に対しては、二重故障を想定した安全性への配慮が求められる。トナーボトルを駆動させる構成における二重故障としては、トナーボトルの着脱口を覆うカバー部材が開いていることを認識できずに閉じていると誤認識する故障、及びトナーボトルが未装着であることを認識できずに装着されていると誤認識する故障がある。このような二重故障を生じた場合には、トナーボトルが装着されていないと共にカバー部材が開いている状態で、トナーボトルを駆動させることができる。この場合に、トナーボトルは未装着状態であるため、ユーザが触れられる状態でギアやカップリングが駆動する。
【０００９】
特許文献１は、上記の二重故障を生じた場合に安全性を確保する画像形成装置を開示している。具体的には、特許文献１に開示されている画像形成装置は、プロセスカートリッジの離脱時に、カップリング雄部材を退避させてプロセスカートリッジへの駆動力の伝達を解除する。また、プロセスカートリッジの装着時に、カップリング雄部材をカップリング雌部材に結合させてプロセスカートリッジへ駆動力を伝達させる。
【先行技術文献】
【特許文献】
【００１０】
【特許文献１】特開２００５−３３８１４６号公報
【発明の概要】
【発明が解決しようとする課題】
【００１１】
しかしながら、特許文献１においては、駆動力の伝達を解除するために、カップリング雄部材を退避させるための退避専用の特別な空間を設ける必要があり、補給容器収容装置を小型化できないという課題を有する。
【００１２】
本発明の目的は、現像剤補給容器を収容する補給容器収容装置を小型化することである。
【課題を解決するための手段】
【００１３】
本発明に係る補給容器収容装置は、現像剤を補給するための現像剤補給容器を着脱自在に収容する収容空間と、前記現像剤補給容器を駆動させるための駆動力を供給する駆動手段と、前記駆動手段に連結され該駆動手段からの駆動力を前記収容空間に収容されている前記現像剤補給容器へ伝達すると共に、前記現像剤補給容器が前記収容空間から取り出されることに応答して前記駆動手段との連結を断つように前記収容空間側へ移動する連結手段と、を有することを特徴とする。
【発明の効果】
【００１４】
本発明によれば、現像剤補給容器を収容する補給容器収容装置を小型化することができる。
【図面の簡単な説明】
【００１５】
【図１】本発明の実施の形態に係る画像形成装置の断面説明図である。
【図２】本発明の実施の形態に係るトナーボトル収容装置の斜視図である。
【図３】本発明の実施の形態に係るトナーボトル駆動機構部の斜視図である。
【図４】本発明の実施の形態に係るトナーボトル駆動機構部の一部の拡大斜視図である。
【図５】本発明の実施の形態に係る押圧部材の斜視図である。
【図６】本発明の実施の形態に係る可動カップリングの斜視図である。
【図７】本発明の実施の形態に係るトナーボトルの上方から見た斜視図である。
【図８】本発明の実施の形態に係るトナーボトルの下方から見た斜視図である。
【図９】本発明の実施の形態に係るトナーボトルを収容していない状態のトナーボトル収容装置の斜視図である。
【図１０】本発明の実施の形態に係るトナーボトルを収容していない状態のトナーボトル駆動機構部の斜視図である。
【図１１】本発明の実施の形態に係るトナーボトルを収容中のトナーボトル収容装置の斜視図である。
【図１２】本発明の実施の形態に係るトナーボトルを収容した状態のトナーボトル収容装置の斜視図である。
【図１３】本発明の実施の形態に係るトナーボトルを収容した状態のトナーボトル駆動機構部の斜視図である。
【発明を実施するための形態】
【００１６】
以下、本発明の実施の形態について図面を参照して詳細に説明する。
【００１７】
＜画像形成装置の構成＞
本発明の実施の形態に係る画像形成装置２の構成について、図１を参照しながら、詳細に説明する。
【００１８】
画像形成装置２は、ここでは複写機を例示する。なお、画像形成装置としては、プリンタ又はファクシミリ等があり、複写機に限定されるものではない。
【００１９】
画像形成装置２は、感光ドラム４と、給送部５と、帯電部６と、露光部７と、定着部８と、排出トレイ９と、クリーナ部１０と、現像器１１と、転写部１２と、トナー搬送路２４と、を有している。感光ドラム４と、帯電部６と、露光部７と、定着部８と、クリーナ部１０と、現像器１１と、転写部１２と、は画像形成手段を構成している。
【００２０】
像担持体としての感光ドラム４は、帯電部６により一様に帯電された後に、露光部７からレーザ光が照射されることにより、表面に静電潜像が形成される。感光ドラム４は、回転することにより、表面に形成された静電潜像を現像器１１と対向する位置へ搬送する。
【００２１】
給送部５は、記録材としてのシートＳを収容しており、収容しているシートＳを転写部１２に給送する。
【００２２】
帯電部６は、所定のバイアス電圧が印加され、回転中の感光ドラム４の表面と接触して回転することにより、感光ドラム４の表面を均一に帯電させる。
【００２３】
露光部７は、感光ドラム４の帯電した表面にレーザ光を照射して感光ドラム４の表面に静電潜像を形成する。
【００２４】
定着部８は、転写部１２から搬送されてきたトナー像が転写されたシートＳを加熱及び加圧することにより、シートＳにトナー像を定着させる。定着部８は、トナー像を定着させたシートＳを排出トレイ９に向けて搬送する。
【００２５】
排出トレイ９は、定着部８から搬送されて排出されたシートＳを載置する。
【００２６】
クリーナ部１０は、感光ドラム４に残留しているトナーを除去する。
【００２７】
現像手段としての現像器１１は、トナー搬送路２４により搬送された現像剤としてのトナーを収容し、収容しているトナーを感光ドラム４に供給して現像し、感光ドラム４に可視画像としてのトナー像を形成する。
【００２８】
転写部１２は、給送部５により給送されたシートＳに対して、感光ドラム４に形成されたトナー像を転写し、トナー像を転写したシートＳを定着部８に向けて搬送する。
【００２９】
トナー搬送路２４は、トナーボトル１から排出されるトナーを現像器１１に向けて搬送する。
【００３０】
上記構成を有する画像形成装置２は、粉末状のトナーを使用しており、画像形成によりトナーが消費された場合に、トナーを補給するためのトナーボトル１から現像器１１へトナーを補給する。画像形成装置２は、トナー補給作業時に、極めて微細な粉末のトナーが飛散しないようにトナーボトル１を装置本体の内部に据え置いて、トナーボトル１の小さな開口部から少量ずつトナーを排出する。
【００３１】
また、画像形成装置２は、トナーボトル１を収容する後述のトナーボトル収容装置１００を有している。トナーボトル１は、画像形成装置２の装置本体に対して横向きにトナーボトル収容装置１００に収納されている。
【００３２】
＜トナーボトル収容装置の構成＞
本発明の実施の形態に係るトナーボトル収容装置１００の構成について、図２から図６を参照しながら、詳細に説明する。
【００３３】
補給容器収容装置としてのトナーボトル収容装置１００は、収容部１０１と、トナーボトル駆動機構部１０４と、を有している。
【００３４】
収容部１０１は、図２に示すように、トナーボトル１を着脱自在に収容する収容空間を備えている。収容部１０１には、トナーボトル１の収容方向に沿って両端にガイド手段としてのレール１０２が設けられている。レール１０２は、収容部１０１の収容空間に対するトナーボトル１の収容をガイドする。
【００３５】
トナーボトル駆動機構部１０４は、収容部１０１の収容空間に収容されたトナーボトル１を回転させて、トナーボトル１からトナーを排出させる。
【００３６】
具体的には、トナーボトル駆動機構部１０４は、駆動手段と、連結手段と、を有している。
【００３７】
駆動手段としての駆動ユニット１０９は、モータ１０５と、駆動入力軸１１０と、固定カップリング１０６と、を有している。駆動手段は、トナーボトル１を駆動させるための駆動力を供給する。
【００３８】
モータ１０５は、電力の供給を受けて駆動して駆動力を発生する。
【００３９】
固定カップリング１０６は、駆動入力軸１１０に固定されており、可動カップリング１０７の連結歯１０７ａと噛み合う連結歯１０６ａを備えている。固定カップリング１０６は、モータ１０５の駆動力がギア列を介して伝達されることにより、駆動入力軸１１０を回転中心として駆動入力軸１１０と共に回転する。
【００４０】
駆動ユニット１０９と連結する連結手段は、可動カップリング１０７と、駆動出力軸１１１と、出力ギア１０８と、押圧部材１１３と、を有している。連結手段は、駆動ユニット１０９に連結されて駆動ユニット１０９からの駆動力を収容空間に収容されているトナーボトル１へ伝達する。連結手段は、トナーボトル１が収容空間から取り出されることに応答して駆動ユニット１０９との連結を断つように収容空間側へ移動する。
【００４１】
連結手段に含まれる可動カップリング１０７は、駆動出力軸１１１に固定されており、駆動出力軸１１１を回転中心として駆動出力軸１１１と共に回転可能及び移動可能になっている。可動カップリング１０７は、図６に示すように、固定カップリング１０６の連結歯１０６ａと噛み合う連結歯１０７ａを備えている。
【００４２】
固定カップリング１０６と可動カップリング１０７とは、モータ１０５から出力ギア１０８へ駆動力を伝達する状態と、モータ１０５から出力ギア１０８へ駆動力を伝達しない状態と、になり得る。
【００４３】
具体的には、可動カップリング１０７と固定カップリング１０６とが連結して連結歯１０７ａと連結歯１０６ａとが噛み合うことにより、固定カップリング１０６から可動カップリング１０７に駆動力が伝達される。また、連結歯１０７ａと連結歯１０６ａとが噛み合わなくなることにより、固定カップリング１０６から可動カップリング１０７に駆動力が伝達されなくなる。
【００４４】
ここで、連結歯１０６ａと連結歯１０７ａとが噛み合って連結することにより、固定カップリング１０６と可動カップリング１０７との連結部が形成される。かかる連結部は、モータ１０５から出力ギア１０８へ駆動力を伝達する部分である。
【００４５】
出力ギア１０８は、駆動出力軸１１１に固定されており、駆動出力軸１１１と共に回転する。出力ギア１０８は、トナーボトル１を回転させるために、モータ１０５からの駆動力をトナーボトル１に出力する。
【００４６】
駆動手段としての駆動ユニット１０９は、補給容器収容装置としてのトナーボトル収容装置１００に固定されており、モータ１０５及び固定カップリング１０６を保持している。
【００４７】
駆動入力軸１１０は、駆動ユニット１０９に回転可能に支持されており、固定カップリング１０６を回転可能に支持している。
【００４８】
連結手段に含まれる駆動出力軸１１１には、付勢部材１１２及び押圧部材１１３が設けられている。
【００４９】
付勢手段としての付勢部材１１２は、所定長を有する圧縮コイルばねである。付勢部材１１２は、可動カップリング１０７と固定カップリング１０６との連結を阻害する方向であって駆動出力軸１１１の固定カップリング１０６と対向する先端位置に固定され、この先端位置から離間する方向に可動カップリング１０７を付勢している。
【００５０】
連結手段に含まれる押圧部材１１３は、付勢部材１１２との間で可動カップリング１０７を挟むように駆動出力軸１１１に設けられ、駆動出力軸１１１と一緒に回転しない。押圧部材１１３は、樹脂材料で成型されており、図５に示すように、保護部１１３ａと当接部１１３ｂとを備えている。被覆部としての保護部１１３ａは、固定カップリング１０６の連結歯１０６ａと可動カップリング１０７の連結歯１０７ａとの連結部分が収容部１０１の収容空間に露出しないようにこの連結部分を覆っている。当接部１１３ｂは、保護部１１３ａの下方に設けられ、収容部１０１に装着されるトナーボトル１と当接可能になっている。
【００５１】
＜トナーボトルの構成＞
本発明の実施の形態に係るトナーボトル１の構成について、図７及び図８を参照しながら、詳細に説明する。
【００５２】
現像剤補給容器としてのトナーボトル１は、トナー収容部２０１と、ギア部２０２と、トナー排出ユニット２０３と、を有している。
【００５３】
トナー収容部２０１は、内壁面に螺旋状の凸部が設けられており、回転可能になっている。トナー収容部２０１は、トナーを収容しており、収容しているトナーを回転してトナー排出ユニット２０３に搬送する。
【００５４】
ギア部２０２は、トナーボトル収容装置１００の出力ギア１０８に噛み合うことができる。
【００５５】
トナー排出ユニット２０３は、トナー収容部２０１が回転した場合であっても回転せず、トナー収容部２０１から搬送されてきたトナーをトナー搬送路２４に排出する。
【００５６】
具体的には、トナー排出ユニット２０３は、図８に示すように、トナー排出口２０４と、被ガイド手段としての案内ガイド２０５と、を備えている。トナー排出口２０４は、トナーボトル収容装置１００の図示しないトナー補給口と接続し、トナー収容部２０１から搬送されてきたトナーをトナー補給口を介してトナー搬送路２４に排出する。案内ガイド２０５は、トナーボトル１を収容部１０１の収容空間に収容する際に、収容部１０１のレール１０２上をスライドしながら移動し、収容部１０１に対するトナーボトル１の収容を案内すると共に押圧部材１１３の当接部１１３ｂを押圧する。
【００５７】
＜トナーボトル収容装置の動作＞
本発明の実施の形態に係るトナーボトル収容装置１００の動作について、図９から図１３を参照しながら、詳細に説明する。なお、図１３においては、トナーボトル１の記載を省略している。
【００５８】
トナーボトル１が収容部１０１の収容空間に収容されていない状態において、可動カップリング１０７及び押圧部材１１３は、図９及び図１０に示すように、付勢部材１１２の付勢力により固定カップリング１０６から可動範囲内で最も離れた位置に待機している。この状態では、連結歯１０７ａが連結歯１０６ａと噛み合っていないためにモータ１０５の駆動力は出力ギア１０８に伝達されない。
【００５９】
この状態においてモータ１０５に対して図示しない制御部から駆動指示が与えられた場合であっても、モータ１０５の駆動力は、固定カップリング１０６に伝達されるが、可動カップリング１０７及び出力ギア１０８に伝達されない。またこの際、連結歯１０７ａと連結歯１０６ａとの連結部分を、収容部１０１の収容空間に露出させないように押圧部材１１３の保護部１１３ａで覆っているため、連結歯１０６ａは収容空間に露出しない状態で回転する。
【００６０】
これにより、前述の二重故障を生じた場合等において、収容部１０１にユーザやサービスマン等が手を入れた場合であっても、故障により回転動作をしている固定カップリング１０６の連結歯１０６ａに触れる心配がなく、安全性を確保することができる。
【００６１】
図９及び図１０に示すトナーボトル１が収容部１０１に収納されていない状態において、連結手段に含まれる可動カップリング１０７は、付勢部材１１２によって固定カップリング１０６から離間する方向に付勢されている。従って、可動カップリング１０７は、収容部１０１に退避して待機している。これにより、トナーボトル１が収容部１０１の収納空間に収納されていない場合に、可動カップリング１０７を退避させておくための専用の退避空間を設ける必要をなくすることができる。従って、トナーボトル１を収容するトナーボトル収容装置１００を小型化することができる。
【００６２】
図９及び図１０の状態において、トナーボトル収容装置１００のレール１０２上に、トナーボトル１のトナー排出ユニット２０３の案内ガイド２０５を乗せて、レール１０２により案内ガイド２０５がガイドされた状態でトナーボトル１を収容部１０１に挿入する。
【００６３】
案内ガイド２０５がレール１０２に沿って案内されながらトナーボトル１が収容部１０１に収容される際に、図１１に示すように、トナーボトル１の案内ガイド２０５はやがて押圧部材１１３の当接部１１３ｂに当接する。
【００６４】
この状態から更にトナーボトル１を収容部１０１に挿入していくことにより、案内ガイド２０５は、トナーボトル１の挿入方向に押圧部材１１３を押し込んでいく。また、押圧部材１１３は、付勢部材１１２の付勢力に抗って可動カップリング１０７を駆動出力軸１１１のスラスト方向に移動させる。このように、案内ガイド２０５をレール１０２によりガイドすることにより、収容部１０１の収容空間に対するトナーボトル１の収納が完了した際に、トナー排出ユニット２０３を正しい位置にセットすることができる。また、収容部１０１に対するトナーボトル１の挿入を案内する案内ガイド２０５は、押圧部材１１３を押圧する機能も兼ね備えているため、省スペースにすることができる。
【００６５】
収容部１０１へのトナーボトル１の収容を終了した場合には、図１２及び図１３に示すように、案内ガイド２０５は押圧部材１１３を押し込んだ状態で停止する。また、付勢部材１１２の付勢力はトナーボトル１の重量に抗することができず、押圧部材１１３は押し込まれた状態を維持する。
【００６６】
そのため、押圧部材１１３により固定カップリング１０６側へと移動させられた可動カップリング１０７は、連結歯１０７ａが固定カップリング１０６の連結歯１０６ａに噛み合って固定カップリング１０６と連結した状態になる。この状態では、連結歯１０７ａと連結歯１０６ａとが噛み合っているため、モータ１０５の駆動力は出力ギア１０８に伝達される。
【００６７】
トナーボトル１が収容部１０１の収容空間に収容された図１２及び図１３に示す状態になることにより、モータ１０５からトナーボトル１までモータ１０５の駆動力が伝達可能な通常動作可能状態となる。通常動作可能状態において、トナー収容部２０１の外周面に構成されたギア部２０２は、出力ギア１０８に当接する。
【００６８】
通常動作可能状態において、モータ１０５が駆動を開始した際に、その駆動力は、固定カップリング１０６、可動カップリング１０７及び出力ギア１０８へと伝達される。そして、出力ギア１０８は、トナーボトル１のギア部２０２を駆動させ、トナーボトル１のトナー収容部２０１を回転させる。これにより、トナーボトル１は、トナーの排出を始める。
【００６９】
トナーボトル１に収容されているトナーは、トナー収容部２０１が回転することにより、トナー収容部２０１の内壁の螺旋状の凸部により搬送される。このように搬送されたトナーは、トナー排出口２０４からトナー排出口２０４に連結されているトナーボトル収容装置１００の図示しないトナー補給口を経てトナー搬送路２４に排出され、画像形成装置２の本体内へと搬送される。
【００７０】
現像剤補給容器としてのトナーボトル１を収容部１０１から取り外す際には、押圧部材１１３は、案内ガイド２０５からの押圧力が解除されると共に付勢部材１１２の付勢力により、トナーボトル１の取り外し方向に移動して収容部１０１の収容空間に退避する。これにより、可動カップリング１０７は、押圧部材１１３からの押圧力が解除されると共に付勢部材１１２からの付勢力により移動して、固定カップリング１０６と連結した状態から固定カップリング１０６との連結を解除した状態になる。
【００７１】
なお、発明の実施形態を具体的に説明したが、本発明は上記実施形態に限定されるものではなく、その要旨を逸脱しない範囲で種々変形可能であることは言うまでもない。
【００７２】
具体的には、上記実施の形態において、マルチファンクションプリンタに対して本発明を適用したものであるが、シングルファンクションプリンタ等の他の画像形成装置、又は他の用途若しくは目的の装置に対しても本発明は同様に適用することができる。
【００７３】
また、上記実施の形態において、固定カップリング１０６及び可動カップリング１０７によりモータ１０５の駆動力をトナーボトル１に伝達した。しかしながら、カップリング以外の駆動連結手段を用いてモータ１０５の駆動力をトナーボトル１に伝達してもよい。
【符号の説明】
【００７４】
１  トナーボトル
２  画像形成装置
４  感光ドラム
５  給送部
６  帯電部
７  露光部
８  定着部
９  排出トレイ
１１  現像器
１２  転写部
２４  トナー搬送路
１００  トナーボトル収容装置
１０１  収容部
１０２  レール
１０３  トナー補給口
１０４  トナーボトル駆動機構部
１０５  モータ
１０６  固定カップリング
１０６ａ  連結歯
１０７  可動カップリング
１０７ａ  連結歯
１０８  出力ギア
１０９  駆動ユニット
１１０  駆動入力軸
１１１  駆動出力軸
１１２  付勢部材
１１３  押圧部材
１１３ａ  保護部
１１３ｂ  当接部
２０１  トナー収容部
２０２  ギア部
２０３  トナー排出ユニット
２０４  トナー排出口
２０５  案内ガイド
【図１】
2018072364.tif 000003
【図２】
2018072364.tif 000004
【図３】
2018072364.tif 000005
【図４】
2018072364.tif 000006
【図５】
2018072364.tif 000007
【図６】
2018072364.tif 000008
【図７】
2018072364.tif 000009
【図８】
2018072364.tif 000010
【図９】
2018072364.tif 000011
【図１０】
2018072364.tif 000012
【図１１】
2018072364.tif 000013
【図１２】
2018072364.tif 000014
【図１３】
2018072364.tif 000015